(57)【要約】 【課題】  段ボール箱を連続して製函機で製函する時に、常に安定した段ボール箱が製函できる製函用段ボールシートを提供する。【解決手段】  主に桃、梨等の果物を入れる製函機で製函をする段ボール箱の身であって、胴部分が内側板３と外側板２、内妻板８と外妻板７で二重となる形状が国際規格０４２５に準ずる製函前の段ボールシートにおいて、内側板３と内側板連結板５の罫線に、内側板３と内側板連結板５のそれぞれの外側より罫線に向けて任意の寸法の切欠１２を設けると共に、内妻板外側横寸法Ｂを内妻板罫線寸法Ｃより任意の寸法短くして内妻板８を梯形としてなる。【選択図】図１
2007055669.tif 000002
【特許請求の範囲】
【請求項１】
主に桃、梨等の果物を入れる製函機で製函をする段ボール箱の身であって、胴部分が内側板と外側板、内妻板と外妻板で二重となる形状が国際規格０４２５に準ずる製函前の段ボールシートにおいて、内側板と内側板連結板の罫線に、内側板と内側板連結板のそれぞれの外側より罫線に向けて任意の寸法の切欠を設けると共に、内妻板外側横寸法を内妻板罫線寸法より任意の寸法短くして内妻板を梯形としたことを特徴とする製函用段ボールシート。
【請求項２】
任意の寸法の切欠の形状をV字形とした請求項１の製函用段ボールシート。
【請求項３】
任意の寸法の切欠の形状をＵ字形とした請求項１の製函用段ボールシート。
【発明の詳細な説明】
【技術分野】
【０００１】
本発明は、製函機で製函する段ボールシートに関し、製函機で安定した段ボール箱を連続製函ができる製函用段ボールシートに関する。                          
【背景技術】
【０００２】
従来の製函用段ボールシートは、製函機の機能が一定であっても、段ボールシートの製造時又は保管状態での水分変化により反り等が発生した場合には、製函の最終工程において製函機が対応できず、関係する各板が互いに干渉し内側角部分に皴が生じたり、正常な製函が出来ない場合が多発しているが、連続しての製函が前提である為に箱の形状が保たれていれば、不完全な形状であってもそのまま使用されるのが通常である。
【０００３】
上記において、最悪の場合は段ボールシートが箱にならず製函機が停止する。この場合には、段ボールシートを取り除き、正常に作動させる為の操作が必要であり、対応も一定ではないので多発すれば製函機操作の熟練者を必要とし生産計画にも影響する。
【発明の開示】
【発明が解決しようとする課題】
【０００４】
解決しようとする問題点は、製函用段ボールシートが製函の最終工程で、製造時又は、保管状態での品質変化により、箱の内妻板の端部分が内側板と内側板連結板の折り曲げ部分と干渉した場合には内側角部分に皴が生じ不完全な成形箱となる。又、内妻板の係止用突起が内妻板係止用穴に中途半端な入り方をした場合には、不完全な箱になるか、内妻板が開いて成形されず箱にならない点である。
【課題を解決するための手段】
【０００５】
主に桃、梨等の果物を入れる製函機で製函をする段ボール箱の身であって、胴部分が内側板と外側板、内妻板と外妻板で二重となる形状が国際規格０４２５に準ずる製函前の段ボールシートにおいて、内側板と内側板連結板の罫線に、内側板と内側板連結板のそれぞれの外側より罫線に向けて任意の寸法の切欠を設けると共に、内妻板外側横寸法を内妻板罫線寸法より任意の寸法短くして内妻板を梯形としてなる。
【０００６】
上記において、任意の寸法の切欠の形状は、Ｖ字形又はＵ字形とする。
【発明の効果】
【０００７】
本発明の製函用段ボールシートは、内側板と内側板連結板の罫線に外側より罫線に向けて任意の寸法の切欠を設けると共に、内妻板外側横寸法を内妻板罫線寸法より短くして梯形にすることにより、製函時において内側板と内側板連結板を折り曲げた内側角部分と、内妻板端部分の干渉がなくなるので、段ボールシートの品質変化に影響されることなく安定した段ボール箱を連続して製函できる。
【０００８】
上記形態の製函用ダンボールシートは手でも容易に組み立てることができる。他に、同
形の製函品となる手折の段ボールシートがあるが、これは通常、内側連結板の左右に設けてある切り込みを互いに差し込んで連結し、内妻板の端部突起を内側板と内側板連結板の切欠に係止させて箱とするものであるが、ほとんどの箱は内側板と内妻板の係止用突起がないので完成度が低く組み立てにも製函用段ボールシートよりも時間がかかる。従って、製函用ダンボールシートを手折用に流用すれば全ての面において好結果が得られる。
【発明を実施するための最良の形態】
【０００９】
製函用段ボールシートにおいて、品質変化に影響されることなく製函の最終工程で内側板と内側板連結板を折り曲げた内側角部分と内妻板端部分が干渉せず、更に、内妻板の突起が係止用穴に確実に入り込むようにする為に、内側板と内側板連結板の罫線の外側より罫線に向けて任意の寸法の切欠を設ける共に、内妻板外側横寸法が内妻板罫線寸法より任意の寸法短い梯形とした形態とする。
【実施例】
【００１０】
以下、本発明の実施例を図面に基づいて説明する。図１は、本発明に係わる製函用段ボールシートの平面図、図２は第１製函工程の斜視図、図３は第２製函工程の斜視図、図４は製函された段ボール箱の斜視図である。国際規格０４２５に準ずる段ボールシートは底板１に側板係止用穴１０と妻板係止用穴１１を設け、それぞれの罫線（点線で表示、以下同じ）で連接する外側板２と外側板連結板４、係止用突起６付の内側板３と内側板連結板５、外妻板７、係止用突起９付の内妻板８で構成されているが、内側板３と内側板連接結板５の罫線に、内側板３と内側板連結板５の外側それぞれより罫線に向けて切欠１２を設けて切欠付罫線Ａとすると共に、内妻板８の内妻板外側横寸法Ｂを内妻板罫線寸法Ｃより短くして梯形とする。
【００１１】
切欠１２の形状は、内側板３と内側板連結板５が切欠付罫線Ａで折り曲げられた時に内妻板８の端部との干渉を少なくするものであるのでＶ字形、Ｕ字形どちらでも対応できるが実施例においてはＶ字形とした。
【００１２】
図２の第１製函工程、図３の第２製缶工程で、内側板３と内側板連結板５が折り曲げ時には、切欠１２により罫線の端がなくなるので確実な内側角部分が形成される。
【００１３】
図４において内妻板８の係止用突起９が係止用穴１１に係止して段ボール箱が完成するが、この場合、外側板3と外側板連結板５の切欠１２が確実な内側角部分を形成すると共に、内妻板８が梯形である為に、内側角部分の干渉が回避されるので常に安定した段ボール箱を連続して製函することができる。
【００１４】
内妻板８の内妻板外側横寸法Ｂと内妻板罫線寸法Ｃの差は、内妻板８の外側両端が両方の内側板３と内側板連結板５の折り曲げ部分と干渉しなければよいので1ミリ以下で十分と考えられる。従って、製函された状態では、段ボールシートには反発性があるので従来の内妻板８が四角形の場合の製函品と比較しても見分けることはほとんど出来ず強度にも影響しない。
【図面の簡単な説明】
【００１５】
【図１】製函用段ボールシートの平面図である。
【図２】製函用段ボールシートの製函機第１工程の斜視図である。
【図３】製函用段ボールシートの製函機第２工程の斜視図である。
【図４】製函用段ボールシートの製函した完成品の斜視図である。
【符号の説明】
【００１６】
１  底板
２  外側板
３  内側板
４  外側板連結板
５  内側板連結板
６  係止用突起
７  外妻板
８  内妻板
９  係止用突起
１０  側板係止用穴
１１  妻板係止用穴
１２  切欠
Ａ  切欠付罫線
Ｂ  内妻板外側横寸法
Ｃ  内妻板罫線寸法
【図１】
2007055669.tif 000003
【図２】
2007055669.tif 000004
【図３】
2007055669.tif 000005
【図４】
2007055669.tif 000006